Podtech/llm-jp-corpus-v4-ja_patent huggingface dataset:
(57)【要約】【目的】この発明は、眼鏡の鼻あてを使用しなくても眼鏡を固定できる、眼鏡固定ホルダー装置に関するものである。【構成】図１で説明すると、１の眼鏡固定ホルダー装置の骨となる２の形状記憶合金の上にシリコンまたはゴムをかぶせてある。４を耳にはさんで、６のバネで全体を固定する。５の眼鏡フレームを３に装着することで鼻あてが不必要となる。１眼鏡固定ホルダー本体　　２形状記憶合金　　３フレームを挟む爪４耳の内側を挟む爪　　６本体を固定するバネ【選択図】　　図１
2004133366.tif 000002
【特許請求の範囲】
【請求項１】
眼鏡の鼻あてを使用しなくても、眼鏡のつるを眼鏡固定ホルダーに装置すると眼鏡を固定できる、眼鏡固定ホルダー装置。
【請求項２】
眼鏡固定ホルダー装置を使用した眼鏡フレーム
【発明の詳細な説明】
【０００１】
［産業の利用分野］
この発明は、眼鏡の鼻あてを使わず、眼鏡固定ホルダー装置によって、眼鏡を支える眼鏡固定ホルダー装置に関するもである。
【０００２】
［従来の技術］
従来の眼鏡は、鼻あてと耳のつるで眼鏡を支えていた。
【０００３】
［発明が解決しようとする課題］
この発明は、眼鏡の鼻あてを使うことなく、普通の眼鏡フレームを眼鏡固定ホルダー装置に装着する事で、次のような弊害を無くすものである。
従来の眼鏡は、鼻あてが眼鏡を支えていて、鼻が痛くなったり鼻あての跡が付いたりまた、頭痛さえすることがあった。
このような苦痛を解放するためと、新しいデザインの可能性を目指した、眼鏡固定ホルダー装置を開発しようとするものである。
【０００４】
［課題を解決するための手段］
この発明の構成を説明すると、
図１、　１の眼鏡固定ホルダー本体の外形のなかに２の形状記憶合金の上にシリコンまたはゴムをかぶせてある。４の耳の内側を挟む爪で耳にはさんで、６のバネと４の爪と１のホルダー本体で全体を固定する。５の眼鏡フレームを３のフレームを挟む爪に装着することで、鼻あてが不必要となる。
図２、　眼鏡固定ホルダー装置を使用した眼鏡フレーム
１眼鏡フレーム　４耳はさみ　６バネ
【０００５】
［発明の効果］
この発明は、従来の眼鏡に着いている鼻あてを無くすことで、鼻の痛みや、鼻あての跡、頭痛などから開放する事ができる。また新しい眼鏡のデザインを可能にする、眼鏡固定ホルダー装置である。
【０００６】
【図面の簡単な説明】
【図１】本発明の眼鏡固定ホルダー装置の斜視図。
【図２】本発明の眼鏡固定ホルダー装置を使用した眼鏡フレーム。
【図１】
2004133366.tif 000003
【図２】
2004133366.tif 000004
(57)【要約】【課題】アクリル等の材質による、表札やウエルカムボードをメインにしたプレートで、しかも個人の気に入った写真やカード等を自由に挟め楽しめるものを提供する。【解決手段】アクリル等の板を使い、重ね合わせ、間に写真やカード等を挟みビス止め等で止め、自由に取り外せる、かつ、しっかりと固定出来るものを提供する。【選択図】　図２
2004133363.tif 000002
【特許請求の範囲】
【請求項１】
半透明のアクリル等の板を２枚重ね合わせ正面の板に彫刻や、印刷描く等を施し、板の間に写真やカード等を入れられる様にするもの。
【発明の詳細な説明】
【０００１】
【発明に属する技術分野】
この発明は、アクリル板等の２枚合わせの間に写真等を入れられる様にしたもの。
【０００２】
【従来の技術】
従来の表札等には、自由に写真やカード等を挟めるものは、なかった。
【０００３】
【発明が解決しようとする課題】
従来、購入時の１パターンしかなかったものが、中に写真やカードを挟む事によって入れ替えができ、個性やバリエーションが増えて、楽しめるものである。
【０００４】
【課題を解決するための手段】
半透明のアクリル板等を２枚にし、間に挟むものが自由に出し入れ出来る様にし、その２枚合わせの板の角をビス等で、簡単に、かつ、しっかりと止められる様にするものである。
【０００５】
【発明実施の形態】
以下、本発明の実施の形態について説明する。
アクリル等の板に彫刻等を施し、板の間に写真やカード等を入れ、それを固定させる為に、ビス等で止めたものである。
【０００６】
【発明の効果】
間に挟むものが自由に出し入れ出来ることによって、気に入った写真やカード等が入れられ、個性豊かにバリエーションが楽しめるものとなる。
【図面の簡単な説明】
【図１】表札等の土台となるアクリル板等の加工した横斜視図である。
【図２】写真を挟んでビス止めする様子を描いた横斜視図である。
【符号の説明】
１　彫刻や描き文字等の文字
２　半透明の表のアクリル等の板
３　半透明の裏のアクリル等の板だが、半透明でなくても良い
４　ビス止め穴
５　写真等
６　ビス
７　ナット
８　チェーン
【図１】
2004133363.tif 000003
【図２】
2004133363.tif 000004
(57)【要約】【課題】光ピックアップの内部に配線されるフレキシブルプリント基板に関する装置を提供する。【解決手段】半導体レーザー素子から放射されるレーザー光を対物レンズによりスポット状に集光され記録媒体に照射し反射された信号を受光する受光素子とを構成し、前記半導体レーザー素子の駆動に用いる高周波重畳制御を含む半導体レーザー素子ライン３と前記受光素子の制御を含む光検出素子ライン６と電源供給ライン４を一つのフレキシブルプリント基板１に配線された光ピックアップにおいて、前記フレキシブルプリント基板１に配線される半導体レーザー素子ライン３のブロックと光検出素子ライン６が配列するブロック間にアースライン５を含む電源供給ライン４を配置するとともに前記電源供給ライン４とアースライン５間にコンデンサーを接続したことを特徴とする光ピックアップ装置。【選択図】　　図１
2004133981.tif 000002
【特許請求の範囲】
【請求項１】
半導体レーザー素子から放射されるレーザー光を対物レンズによりスポット状に集光され記録媒体に照射し反射された信号を受光する受光素子とを構成し、前記半導体レーザー素子の駆動に用いる高周波重畳制御を含む半導体レーザー素子ラインと前記受光素子の制御を含む光検出素子ラインと電源供給ラインを一つのフレキシブルプリント基板に配線された光ピックアップにおいて、前記フレキシブルプリント基板に配線される半導体レーザー素子ラインのブロックと光検出素子ラインが配列するブロック間にアースラインを含む電源供給ラインを配置するとともに前記電源供給ラインとアースライン間にコンデンサーを接続したことを特徴とする光ピックアップ装置。
【発明の詳細な説明】
【０００１】
【発明の属する技術分野】
本発明は、レーザー光源である半導体レーザー素子を駆動するための高周波重畳回路が配置されるフレキシブルプリント基板より漏れる高周波成分の不要輻射が光検出素子のフレキシブルプリント基板に受ける影響の排除に関する。
【０００２】
【従来の技術】
光ピックアップに接続されるフレキシブルプリント基板に配置されている高周波重畳制御ラインには発振回路によりレーザー光の出力を数百ＭＨｚの周波数でオン、オフする高周波重畳回路が設けられている。この高周波重畳回路の実装部をシールドケースによりシールドすることにより放射ノイズの発生を防止しており、フレキシブルプリント基板には通常、半導体レーザー素子を駆動する方法として前記半導体レーザー素子に高周波電流を供給し接続されるフレキシブルプリント基板と信号を受光する光検出素子素子に接続されるフレキシブルプリント基板は部品の端子に合せて各ラインがフレキシブルプリント基板に配置配線されていた。
【０００３】
【特許文献１】
特開平０８−１２４２０１号
【特許文献２】
特開平１１−２３２６８３号
【０００４】
【発明が解決しようとする課題】
レーザー光源である半導体レーザー素子を駆動するための半導体レーザー素子ラインを含む高周波重畳回路に配線されるフレキシブルプリント基板は、光検出素子に接続されるフレキシブルプリント基板のパターン配置は近接して配置されており、高周波重畳回路ライン及び半導体レーザーラインより高周波成分が漏れて光検出素子ラインに飛び込むことで検出信号に乱れが発生し性能に悪影響を及ぼしていた。
【０００５】
【課題を解決するための手段】
本発明は、フレキシブルプリント基板に配線される半導体レーザー素子ラインのブロックと光検出素子ラインが配列するブロック間にアースラインを含む電源供給ラインを配置するとともに前記電源供給ラインとアース間にコンデンサーを接続した構成としている。
【０００６】
【実施例】
図１は本発明に係る光ピックアップ装置の一実施例を示す説明図である。
【０００７】
１はフレキシブルプリント基板であり、該フレキシブルプリント基板には半導体レーザー素子を駆動する高周波重畳制御ライン２と複数配線されている半導体レーザー素子ライン３と複数の電源供給ライン４とアースライン５と複数配線されている光検出素子ライン６と光検出制御ライン７がフレキシブルプリント基板１に配置されており、電源供給ライン４とアースライン５は前記半導体レーザー素子ライン３と光検出素子ライン６の間に配置されている。８及び９は電源供給ライン４とアース間に接続されているコンデンサーである。
【０００８】
矢印１Ａはディスクドライブ本体制御部に接続される方向の端子部、矢印１Ｂは半導体レーザー素子（記載せず）及び光検出素子（記載せず）に接続される方向の端子部である。
【０００９】
光ピックアップに接続されるフレキシブルプリント基板１に矢印１Ａ方向に配置されている高周波重畳制御ライン２及び半導体レーザーライン３には発振回路によりレーザー光の出力を数百ＭＨｚの周波数でオン、オフする高周波重畳電圧が通電されており、該高周波重畳制御ライン２及び半導体レーザーライン３よりノイズが微弱ながら空間に電波として放射されるとともにフレキシブルプリント基板１の沿面を介して放射し外部に漏れが発生している。
【００１０】
このようにノイズが外部に漏れた不要輻射は高周波重畳制御ライン２及び半導体レーザーライン３の隣に配置された電源供給ライン４にノイズが飛び込むこととなる。しかし、前記電源供給ライン４にはコンデンサー８，９がアースラインに接続されているので電源供給ラインに飛び込んだ高周波成分はコンデンサー８、９によりアースライン５に落ちゼロ電位となる。
【００１１】
その結果、高周波重畳制御ライン２を含む半導体レーザー素子ライン３と前記受光素子制御ライン７を含む光検出素子ライン６の間にはアースライン５を含む電源供給ライン４が配置されているので前記高周波重畳ライン２及び半導体素子ライン３に含まれた高周波ノイズは、近接配置された電源供給ライン４及びアースライン５に飛び込むこととなるが、ノイズはコンデンサー８、９により高周波成分をゼロ電位にすることができ、光検出ライン６に高周波ノイズが飛び込むことがない。
【００１２】
【発明の効果】
以上述べた如く、本発明は、フレキシブルプリント基板に配線される半導体レーザー素子ラインが配列するブロックと光検出素子ラインが配列するブロック間に電源供給ラインを配置するとともに前記電源供給ラインとアース間にコンデンサーを接続したので、半導体レーザー素子ラインと光検出素子ラインの間に高周波成分がゼロ電位のラインを設けたこととなり、光検出素子ラインにノイズが飛び込むことがなく信号に歪みが発生しないので性能に悪影響を受けることがない。
【図面の簡単な説明】
【図１】本発明に係る光ピックアップ装置の一実施例を示す説明図である。
【符号の説明】
１　　　　　フレキシブルプリント基板
２　　　　　高周波重畳制御ライン
３　　　　　半導体レーザー素子ライン
４　　　　　電源供給ライン
５　　　　　アースライン
６　　　　　光検出素子ライン
７　　　　　光検出制御ライン
８　　　　　コンデンサー
９　　　　　コンデンサー
【図１】
2004133981.tif 000003
(57)【要約】【課題】従来のインターネット等における問題点は地域に密着した情報を提供できない点である。【解決手段】利用者に入力してもらった地域情報とＩＰアドレスまたは経由サーバーを元にアクセス地域を自動的に判別又は推測した地域情報を元に、広告を中心とした地域別サービスを提供する。判別手段として登録済みユーザーが特定の経由サーバーを同一地域で通過する場合やＩＰアドレスが近いユーザーの多数が同一地域であった場合、その地域であると推測し、サービスを提供する。【選択図】図１
2004152066.tif 000002
【特許請求の範囲】
【請求項１】
インターネット等においてアクセスした地域を自動的に判別して地域別の広告を提供することを特徴とするシステム。
【請求項２】
利用者に入力してもらった地域情報を提供することを特徴とするコンピュータシステム。
【請求項３】
ＩＰアドレスまたは経由サーバーを元にアクセス地域を自動的に判別又は推測して地域情報を提供することを特徴とするコンピュータシステム。
【請求項４】
地域情報登録済みユーザーのＩＰアドレス及び経由サーバーを元に特定の経由サーバーを同一地域で通過する場合やＩＰアドレスが近いユーザーの多数が同一地域であった場合、その地域であると推測し、地域を判別することを特徴とする請求項３のコンピュータシステム。
【発明の詳細な説明】
【０００１】
【発明が属する技術分野】
この発明は、インターネット等の地域別サービス提供に関する。
【０００２】
【従来の技術】
従来のインターネット等のネットワークは世界中の人に同じ情報やサービスを提供するものであった。
【０００３】
【発明が解決しようとする課題】
解決しようとする問題点は、インターネット等において地域に密着した情報を提供できない点である。
【０００４】
【課題を解決するための手段】
以上の課題を解決するために、請求項１の発明は、インターネット等においてアクセスした地域を自動的に判別して地域別の広告を提供することを特徴とするシステムである。また、請求項２の発明は、利用者に入力してもらった地域情報を提供することを特徴とするコンピュータシステムである。また、請求項３の発明は、ＩＰアドレスまたは経由サーバーを元にアクセス地域を自動的に判別又は推測して地域情報を提供することを特徴とするコンピュータシステムである。また、請求項４の発明は、地域情報登録済みユーザーのＩＰアドレス及び経由サーバーを元に特定の経由サーバーを同一地域で通過する場合やＩＰアドレスが近いユーザーの多数が同一地域であった場合、その地域であると推測し、地域を判別することを特徴とする請求項３のコンピュータシステムである。
【０００５】
【発明の実施の形態】
この発明の一実施形態を、図１に示す。利用者がホームページにアクセスした時、バナー広告等のデータが要求された際、登録済み地域情報格納サーバー１において、Ｃｏｏｋｉｅ等のユーザー判別手段を用い地域情報を判別する。登録済みユーザーの情報はそのＩＰアドレス・経由サーバー等の地域情報に追加し活用する。登録していないユーザーはＩＰアドレス及び経由サーバー別地域情報格納サーバー２によって、地域情報を判別する。判別手段として登録済みユーザーが特定の経由サーバーを同一地域で通過する場合やＩＰアドレスが近いユーザーの多数が同一地域であった場合、その地域であると推測し、地域を判別する。不確定な地域ユーザーに対しては地域情報の要求によって対処する。以上を用い、地域判別が可能なユーザーに対し、地域別のイベント情報などを配信し、不明ユーザーには、不特定多数向けの情報を配信する。
【０００６】
「実施形態の効果」
この実施形態によれば、自動的に地域情報を入手・判別することができ、地域別サービスを提供することが可能となる。
【０００７】
「他の実施形態」
図１の実施形態では、バナー広告を提供しているが動画やテキストなど他の表示形式でもよい。また図１においては、広告の表示を行っているが、広告以外の地域や地点に関係する他のものであってもよい
【０００８】
【発明の効果】
以上説明したように、この発明によれば、自動的に地域情報を入手・判別することができ、地域別サービスを提供することが可能となる。
【図面の簡単な説明】
【図１】この発明の一実施形態を示すフローチャートである。
【符号の説明】
１  登録済みユーザー地域情報格納サーバー
２  ＩＰアドレス及び経由サーバー別地域情報格納サーバー
【図１】
2004152066.tif 000003
(57)【要約】【課題】プリンタ管理者およびユーザーによるプリンタドライバのインストール作業の負担を減らすことが可能な印刷システムおよびプログラムを記録したパソコン読取可能な記録媒体を提供する。【解決手段】印刷データを作成するパソコン１と、印刷データを紙に出力するプリンタ２とがネットワーク３で接続された印刷システムにおいて、パソコン１はカスタムプリンタドライバインストールプログラム４を有し、プリンタは機器情報５を有し、カスタムプリンタドライバインストールプログラム４は、機器情報５を取得し、かつプリンタドライバ設定情報６を作成すると共に、プリンタドライバプログラムを読み込んで、専用インストールプログラムおよびプリンタドライバプログラムのセット８を作成する。【選択図】        図１
2004152090.tif 000002
【特許請求の範囲】
【請求項１】
印刷データを作成するパソコンと、印刷データを紙に出力するプリンタとがネットワークで接続された印刷システムにおいて、パソコンはカスタムプリンタドライバインストールプログラムを有し、プリンタは機器情報を有し、カスタムプリンタドライバインストールプログラムは、機器情報を取得し、かつプリンタドライバ設定情報を作成すると共に、プリンタドライバプログラムを読み込んで、専用インストールプログラムおよびプリンタドライバプログラムのセットを作成することを特徴とする印刷システム。
【請求項２】
上記カスタムプリンタドライバインストールプログラムを記録したパソコン読取可能な記録媒体。
【発明の詳細な説明】
【０００１】
【発明の属する技術分野】
本発明は、印刷データを作成するパソコンと、印刷データを紙に出力するプリンタとがネットワークで接続された印刷システムおよびプログラムを記録したパソコン読取可能な記録媒体に関するものである。
【０００２】
【従来の技術】
印刷データを作成するパソコンと、印刷データを紙に出力するプリンタとがネットワークで接続された印刷システムが普及している。なお、この印刷システムに関連する従来技術として、特許文献１、特許文献２、特許文献３等が存在する。
【０００３】
【特許文献１】
特開２００２−１３２３７８号公報
【特許文献２】
特開２０００−１４８４１５号公報
【特許文献３】
特開２００１−０５１８１０号公報
【０００４】
【発明が解決しようとする課題】
上述したように最近のオフィスにはネットワークに接続されたプリンタが増え、ユーザーがインストールする際の負担が大きい。従来はプリンタのネットワークアドレスやプリンタの設定情報を、管理者からの情報を基にユーザーがインストールプログラムを実行することで、入力しながらプリンタを導入していた。従ってプリンタ管理者およびユーザーによるプリンタドライバのインストール作業の負担が大きいという問題があった。
【０００５】
本発明は、プリンタ管理者およびユーザーによるプリンタドライバのインストール作業の負担を減らすことが可能な印刷システムおよびプログラムを記録したパソコン読取可能な記録媒体を提供することを目的とする。
【０００６】
【課題を解決するための手段】
上記目的を達成するために、請求項１記載の発明は、印刷データを作成するパソコンと、印刷データを紙に出力するプリンタとがネットワークで接続された印刷システムにおいて、パソコンはカスタムプリンタドライバインストールプログラムを有し、プリンタは機器情報を有し、カスタムプリンタドライバインストールプログラムは、機器情報を取得し、かつプリンタドライバ設定情報を作成すると共に、プリンタドライバプログラムを読み込んで、専用インストールプログラムおよびプリンタドライバプログラムのセットを作成する印刷システムを最も主要な特徴とする。
【０００７】
請求項２記載の発明は、上記カスタムプリンタドライバインストールプログラムを記録したパソコン読取可能な記録媒体を最も主要な特徴とする。
【０００８】
【発明の実施の形態】
以下に本発明の実施形態を説明する。図１は本発明の印刷システムにおける動作の説明図である。本印刷システムは、印刷データを作成するパソコン１と、印刷データを紙に出力するプリンタ２とがネットワーク３で接続されることで構築されている。
【０００９】
以下、本印刷システムの動作を説明する。管理者は、特定ユーザ向けカスタムプリンタドライバインストールプログラム４をパソコン１から起動する。そして、起動したプログラムにより、対象プリンタの機器情報（トレイ、用紙サイズ、両面ユニット、排紙ユニット等）５をネットワーク３経由でプリンタ２より自動取得する。または、プリンタ２が接続されていなければ管理者自身が機器情報５を設定する。
【００１０】
次に、管理者は使用者に利用させるプリンタドライバの推奨値または初期値（両面、集約印刷等）の情報（プリンタドライバ設定情報）６をカスタムプリンタドライバインストールプログラム４で作成する。カスタムプリンタドライバインストールプログラム４はこれらの情報を使用する。
【００１１】
そして、標準のプリンタドライバプログラムの媒体７などからプリンタドライバプログラムを読み込み管理者が設定した機器情報５およびプリンタドライバ設定情報６を反映した専用インストールプログラムおよびプリンタドライバプログラムのセット８を作成する。
【００１２】
使用者はこの管理者の作成した専用インストールプログラムをパソコン１上で起動するだけで、なんの設定も行うことなくプリンタ２が使用可能となる。
【００１３】
【発明の効果】
以上説明したように、本発明によれば、今まで設定をユーザーが行っていた操作負担を軽減し、インストール知識をあまり持っていないユーザーでも簡単にプリンタを使用することが可能になる。
【図面の簡単な説明】
【図１】本発明の印刷システムにおける動作の説明図である。
【符号の説明】
１  パソコン
２  プリンタ
３  ネットワーク
４  カスタムプリンタドライバインストールプログラム
５  機器情報
６  プリンタドライバ設定情報
７  プリンタドライバの媒体
８  専用インストールプログラムおよびプリンタドライバプログラムのセット
【図１】
2004152090.tif 000003
(57)【要約】      （修正有）【課題】本発明は、旅行者が不案内な移動先で得な情報をＴＰＯにマッチした形で得る事が出来、発信者は効果的な情報提供が出来る事で需要と供給に貢献する。【解決手段】携帯電話サイト上に設けられた、専用ホームページで情報受信希望者が、情報を欲しい日時、場所、嗜好を自分で登録し、サイト運営者は情報発信者から提供された情報を受信希望者の登録内容に適合する形で情報提供を行う。【選択図】図４
2004152245.tif 000002
【特許請求の範囲】
【請求項１】
観光や出張で移動した先で、飲食やショッピング情報を期間・地域・嗜好に合った情報を携帯電話に配信するシステム。
【発明の詳細な説明】
【０００１】
【産業上の利用分野】
この発明は、観光や出張等の旅先で旅行者に対し、その地域の情報を旅行者のスケジュールと嗜好に合わせて送信し利用者、利用される側双方の利便を図るシステム。
【０００２】
【従来の技術】
【０００３】
従来、地域の情報を提供するサイトは有ったが、利用者が自分で自分の欲しい情報を取りに行く必要があった。
【０００４】
従来、地域情報を発信するサイトは、複雑なサイト内を行き来して自分の欲しい情報を探さなければならなく、不慣れな者には不評であった。
【０００５】
従来の情報サイトは、運営者の更新に頼る為にタイムリーな情報を得る事が難しかった。
【０００６】
【考案が解決しようとする課題点】
この発明が解決しようとする課題は、複雑な操作を行うことなく、簡単に自分の日程、嗜好を登録するだけで、日程、嗜好にあった情報を日程に合わせて利用者の携帯電話に自動送信する。
【０００７】
【課題を解決するための手段】
本発明は、携帯電話内に専用ホームページを設けるところまでは、従来の情報サイトと同様である。説明図
【図  １】
【０００８】
そのサイトで利用者は、サイト説明
【図  ２】と規約
【図  ３】を読んだ後、自分の日程と、嗜好（欲しい情報のジャンル）を登録する。説明図
【図  ４】
【０００９】
サイト側には、各地域・ジャンル別の情報が登録されている。登録情報は各情報発信店舗や施設などから常時ＦＡＸ等で更新される。
【００１０】
発信者からの情報は「本日、生きの良い近海本マグロ入荷。メール持参者一人前８００円でサービス中。」「取れたて朝もぎトウキビ入荷。３時までご来店の方５０％ＯＦＦ実施中」「ただ今、すぐに入店出来ます。１０時までご来店の方、メール提示で９０分４，５００円で、飲み放題」といった旬でタイムリーなものである。説明図
【図  ５】
【００１１】
この情報を、利用者登録に情報に従い、利用者の今居る地域、選択嗜好に合わせ、受信者を選択し送信する。
【００１２】
こうした、タイムリーな情報提供は従来の検索型情報発信ではなく、発信主導に重きをおいたこのシステムでこそ可能になる。また、旅行者（利用者）の日程が終了したら送信は自動終了する。
【００１３】
【作用】
本案は、以上のような構成であるから、発信したい情報を、欲しい利用者のＴＰＯに合わせてタイムリーに提供できることから情報の需要と供給を満たす事が出来る。
【００１４】
また、発信者からは広告料、利用者からは利用料を徴収しビジネスとして成立させる。
【００１５】
【実施例】
以下、実施例について説明する。
【００１６】
運営者は、携帯電話上のサイトに専用ホームページを開設する。
【００１７】
情報受信希望者は、専用サイトにアクセスし自分の行動予定、欲しい情報ジャンルを登録する。説明図
【図  １】
【図  ４】
【００１８】
情報発信希望者は、予めサイト運営者と定めた方法により、発信したい情報を随時サイト運営者へ提供する。
【００１９】
発信情報には、出来るだけ受信者の利益になる特典を付ける。
【００２０】
サイト運営者は情報発信者から提供された情報を、受信希望者の日程、希望ジャンルの嗜好に合わせて受信希望者に送信する。
【００２１】
受信者は、受信したメールを、提示する事で情報発信者側から特典を享受出来る。
【００２２】
受信希望者の日程が終了したら、情報提供は終了する。
【発明の効果】
旅行者が、異動先で旬な情報や特典情報を、簡単な登録によりＴＰＯに合わせて自動受信出来るので、旅行者は不案内な異動先でも自分の欲しい情報を得て特典を受ける事が出来る。また、旅行者をビジネス対象とする情報発信者は、在庫や客入りに合わせて情報を発信する事が出来る為に、需要と供給のバランスに貢献出来る。
【図面の簡単な説明】
【図  １】専用サイトの例を説明する図面である。
【図  ２】専用サイトの利用説明例を説明する図面である。
【図  ３】専用サイトの規約説明例を説明する図面である。
【図  ４】日程や嗜好の登録画面の例を説明する図面である。
【図  ５】発信メールの例を説明する図面である。
【図１】
2004152245.tif 000003
【図２】
2004152245.tif 000004
【図３】
2004152245.tif 000005
【図４】
2004152245.tif 000006
【図５】
2004152245.tif 000007
(57)【要約】【課題】顧客が店舗の従業員の接客態度について意見しようとする場合、従業員に直接伝えるか、もしくは電話や手紙などの手段を用いて店舗の経営管理者に伝える必要があった。【解決手段】評価入力端末のボタンを押すことにより、顧客が従業員の接客態度について手軽に評価を下すことができ、かつ、そのデータがＰＯＳレジスタに記録されることにより、結果的に顧客は、接客態度に問題のある従業員に対して業務改善指導を行なうよう経営管理者に促すことができる。【選択図】図１
2004152244.tif 000002
【特許請求の範囲】
【請求項１】
顧客が従業員の接客態度について評価を下すことを特徴とするシステム。
【請求項２】
顧客が店内に設置された端末から入力し、そのデータが端末と連動するＰＯＳレジスタに記録されることにより、従業員に対する顧客の評価を経営管理者が把握できるようにすることを特徴とする、請求項１記載のシステム。
【発明の詳細な説明】
【０００１】
【発明の属する技術分野】
この発明は、顧客が従業員を評価するシステムに関する。
【０００２】
【従来の技術】
従来は、顧客が店舗の従業員に対し、その接客態度について意見しようとする場合、従業員に直接伝えるか、もしくは電話や手紙などの手段を用いて店舗の経営管理者に伝える必要があった。
【０００３】
【発明が解決しようとする課題】
しかしながら、以上の従来技術によれば、意見を伝えるには、ある程度の決意や労力が必要とされるため、結局は何もせずに見過ごしてしまう人が多かった。そこで、この発明は、顧客が従業員の接客態度について手軽に評価を下すことができ、かつ、その評価が経営管理者に伝わるようにすることで、結果的に顧客が、接客態度に問題のある従業員に対して業務改善指導を行なうよう経営管理者に促すことができる手段を提供することを課題とする。
【０００４】
【課題を解決するための手段】
以上の課題を解決するために、請求項１の発明は、顧客が従業員の接客態度について評価を下すことを特徴とするシステムである。
また、請求項２の発明は、顧客が店内に設置された端末から入力し、そのデータが端末と連動するＰＯＳレジスタに記録されることにより、従業員に対する顧客の評価を経営管理者が把握できるようにすることを特徴とする、請求項１記載のシステムである。
【０００５】
【発明の実施の形態】
この発明の一実施形態を、図１に示す。
レジカウンターの顧客側に設置された評価入力端末１は、ＰＯＳレジスタ２と連動している。評価入力端末１には「良い」「普通」「悪い」を示すボタンが付いており、顧客３は従業員の接客態度について下した評価をもとにボタンを押す。顧客３によって入力されたデータは、その時点でＰＯＳレジスタを操作している従業員４の評価として記録される。
【０００６】
「実施形態の効果」
この実施形態によれば、顧客３が従業員４の接客態度について手軽に評価を下すことができ、かつ、そのデータがＰＯＳレジスタに記録されることにより、経営管理者が従業員４に対する顧客の評価を把握することができ、結果的に顧客は、接客態度に問題のある従業員に対して業務改善指導を行なうよう経営管理者に促すことができる。
【０００７】
「他の実施形態」
図１の実施形態では、評価入力端末１の入力形式は「良い」「普通」「悪い」を示すボタンであったが、他の実施形態では、「１」「２」「３」などの数字を用い、より多くの評価レベルを設定したものでも良い。
【０００８】
「他の実施形態」
図１の実施形態では、評価入力端末１はレジカウンターに設置されていたが、他の実施形態では、店舗の出入り口付近に設置されても良い。
【０００９】
【発明の効果】
以上説明したように、この発明によれば、顧客が従業員の接客態度について手軽に評価を下すことができる。
【００１０】
また、その評価は経営管理者により顧客の意見として把握されるため、結果的に顧客は、接客態度に問題のある従業員に対して業務改善指導を行なうよう経営管理者に促すことができる。
【図面の簡単な説明】
【図１】
【符号の説明】
１  評価入力端末
２  ＰＯＳレジスタ
３  顧客
４  従業員
【図１】
2004152244.tif 000003
(57)【要約】      （修正有）【課題】異なる無線通信システムやマイコン間でデータや命令やり取りする場合、複雑なシステム変更やプロトコルの追加なしで瞬時行う。【解決手段】小型無線回路インタフェース３を内蔵した１チップマイコンＬＳＩチップＡ−Ａ‘間でデータ、命令、プロトコル転送機能を行い、異なる無線通信システム間を有線・無線を介しグローバルに接続する。【選択図】  図１
2004152241.tif 000002
【特許請求の範囲】
【請求項１】
アールエフ（ＲＦ）無線回路を内蔵し、無線インタフェースにより遠隔の複数のチップ内外のマイコンと直接データの転送・格納を行う事を特徴とする１チップマイコン。
【請求項２】
マイコンのインターフェースに直接内蔵可能なように，アナログ・デジタル信号変換器、増幅器、変調・復調器、及び発振器の機能を１つの回路にした最小のアールエフ回路構成。
【請求項３】
複数のマイコン動作を無線でインタフェースし、データや命令の解読を瞬時共有するグローバルなマイコンシステム構成。
【発明の詳細な説明】
【０００１】
【発明の属する技術分野】本発明は、マイコンの内部データおよび命令を、内蔵したアールエフ回路を使い直接外部マイコンに転送し、演算、計測、データ記憶等を遠隔で行うシステムに関する．
【０００２】
【従来の技術】従来のマイコンシステムはデータの記憶，演算、命令等その内部や外部に配線されたバスインタフェースを介し、複数の物理的な金属配線を利用して有線で転送することにより高速な動作を行ってきた．又１チップマイコンではその内部に大規模のメモリ、命令を記憶、解読するための多ビット・桁のレジスタ、アクセス用高速メモリ等を１チップＬＳＩ化した大規模なシステムＬＳＩにする事で高機能、高速化を実現している．さらにＰＨＳや携帯電話などの無線電話装置を利用し，ホストコンピュータとの通信機能を搭載し、遠隔操作やデータ管理を行うマイコンシステムも実用化している。
【０００３】
【発明が解決しようとする課題】しかしながら、バスインタフェース方式や大規模な１チップマイコンＬＳＩ方式では内部データの処理に応じて近傍にデータ記憶、演算、命令処理用の装置が配置され、データの処理速度はバスラインを行き交うデータ転送速度と作りつけの装置の記憶容量に限界がある。しかも無線電話装置を利用し、これらの命令データをインタラクテイブに他のマイコンやコンピュータシステムに転送する場合、無線装置ごとに通信プロトコルが異なることやデータの再加工や方式を合わせるための複雑なプロトコルの追加が必要になる。
【０００４】本発明は斯かる事情に鑑みて提案されたもので、マイコンの命令送受部に直接小型の無線回路を設置し、あらかじめ電話番号に相当する他のマイコン認識アドレス、通信プロトコルを付け直接無線でデータを相手のマイコンＣＰＵに直接転送できるようにした。このようにデータ、命令、プロトコル等を有線および無線ネットワークで結ばれているＲＦマイコン装置間で直接やり取りする事で、マイコン自身の内部装置で処理しきれない大容量のデータや機能外のソフトウェア処理などをホストコンピュータによるプロトコル変換等大規模な設備やソフトウェア開発等なしに可能にした．勿論直接既成のＰＨＳや携帯電話、ＢｌｕｅｔｏｏｔｈおよびＷＬＡＮなどの無線ＬＡＮ，さらにインターネット等を有線、無線を問わずインタラクテイブにつなぎ，マイコン間通信機能を利用した、プリンタ、表示器、カメラ装置、ロボット等の遠隔操作も容易にできる。
さらに、携帯電話、ＰＨＳ等から直接ＲＦマイコンＬＳＩのメモリの暗号等を瞬時書き換え、他者からのマイコンへのアクセスを可能または不可能にすることもできる。
【０００５】
【発明の実施例】本発明の目的及び構成は以上の通りで、以下に添付図面に示した実施例に沿って本発明の具体的な構成について詳述する。
図１でＲＦマイコンＬＳＩチップＡ内部のＣＰＵ１ａ、メモリ２、Ｉ／Ｏ４は通常のマイコンの主構成部分である。Ｉ／ＯはＣＰＵの命令により、マイコンにデータを入・出力するための各種アナログおよびデジタル信号のインタフェースである。本実施例ではこれに加え、通信プロトコル制御用にもう１個のＣＰＵ１ｂを内蔵し、マルチＣＰＵで分散処理を行う。さらに、ＲＦ無線インタフェース回路３を埋め込んだことにより、アンテナ５ａ、５ｂを介して他のＲＦマイコンＬＳＩチップＡ‘とデータをやり取りし、各種外部機器７ａの遠隔操作やメモリ２の書き換え等を行うことが可能となる。この場合、ＲＦマイコンＬＳＩに接続したＰＣやＢｌｕｅｔｏｏｔｈおよび無線ＬＡＮシステム６ａ、ＰＨＳおよび携帯電話６ｂ、インターネット、ＲＦタグおよびＩＤカード８間などは直接それぞれのアンテナから異なるシステム間で通信することは無線方式の違いによる通信プロトコル変換をデジタルおよびアナログの信号ＲＦマイコンＩ／Ｏインタフェース４を介し行い、電話機能を使って海外などの遠隔地に送ることも可能である。
図２にＲＦマイコン・インタフェース回路の詳細を示すが、ここで信号スイッチ３０は通常のデジタル回路で構成できる。Ｄ／Ａコンバータ３１および送信ミキサ３３は小型化のため一体化を行う。また。Ａ／Ｄコンバータ３２および受信ミキサも同様に一体化する。この場合、デジタル・アナログ・ＲＦ回路の混在した信号について従来のボードレベルでスプリアスや信号間の混信を防ぐ方法を応用し、コイル、抵抗、コンデンサーを異なる信号間で所望の回路に埋め込む。
このようにして、ＲＦ送・受信スイッチ３５によりＲＦマイコンＬＳＩのアンテナ間で無線信号を送・受する。
本実施例ではマルチＣＰＵ例を示したが、１つのＣＰＵでの同様の動作をプログラム改良により行うことが可能である。
【図面の簡単な説明】
【図１】本発明によるＲＦマイコンシステム実施例である。
【図２】マイコン内のＲＦインタフェース回路の詳細図である。
【符号の説明】
Ａ、Ａ‘    ＲＦマイコンＬＳＩチップ
Ｂ          ＲＦマイコンシステムインタフェース部
１ａ        ＣＰＵ１ａユニット部
１ｂ        ＣＰＵ１ｂユニット部
２          メモリ部
３          ＲＦマイコン・ＲＦインタフェース部
４          通常のマイコンＩ／Ｏ部
５ａ，５ｂ，５ｃ，５ｄ
アンテナ
６ａ        ＰＣおよび無線ＬＡＮシステム
６ｂ        携帯電話およびＰＨＳ
７ａ        インターネット
７ｂ        外部機器
８          ＲＦタグ、ＩＤカード
９          ループアンテナ
３０        デジタルスイッチ
３１        Ｄ／Ａコンバータ
３２        Ａ／Ｄコンバータ
３３        送信用ミキサ
３４        受信用ミキサ
３５        ＲＦ送・受信スイッチ
【図１】
2004152241.tif 000003
【図２】
2004152241.tif 000004
(57)【要約】【課題】従来の毛筆書体ワードプロセッサーによる証書、賞状の作成は一般文章作成の延長の機能としかなく、証書、賞状に見られる格調の高い手書き文章にはほど遠い印象は否めなかった。原因としては基本的に書家の肉筆により作成された毛筆であるため、大きさにばらつきがあり、この毛筆を一律に設定すると、手書きに見られる、行における直線性が再現できないことにあります。また、ひらがなにおいても、一律に文字を縮小する方法では、文字の線が細くなり、逆に全体のバランスが悪くなることがあります。以上の理由により、現状の証書、賞状のコンピュータによる文面作成は従来の行単位に一律に設定する方法では書家の手書きに近い文章にするには限界があると感じられます。【解決手段】行単位に設定された文章領域を一端、文字単位に分割し、一文字ごとに文字のサイズや圧縮率を変更することにより全体の直線性やバランスを整えることを可能にしました。【選択図】図１
2004152242.tif 000002
【特許請求の範囲】
【請求項１】
コンピュータを使用して証書、賞状などを作成する文書作成装置において、証書、賞状の行単位に作成された文章領域を１文字単位に分割し、それぞれの文字に対し、文字のサイズや文字の圧縮率を変更することを可能とした文面作成方法
【発明の詳細な説明】
【０００１】
【発明の属する技術分野】
本発明はコンピュータによる証書、賞状の文面作成を１文字単位で設定し、調整することで手書きに近い文書レイアウトを作成する出力方法に関するものである
【０００２】
【従来の技術】各種ワードプロセッサーにおいては毛筆による年賀状発行など、技術革新がいちじるしいが、証書、賞状にいたっては宛名書きの延長で機能としてはあるが、証書、賞状としては質感に欠けた印象は否めなかった。
一部ひらがななど特定の文字にたいして自動的に特定の縮小率で文字サイズを変更し、字詰めするなどでバランスを調整しているものもあるが、縮小を行うことで文字の線が細くなり、逆にバランスがとれたものになりにくい場合も見受けられる。また、毛筆書体は基本的に手書きをフォント化しているため同一サイズのフォントでも文字の大きさにばらつきがある。そのため１行に同一のサイズの文章を設定すると文字によっては大きさがまちまちで直線性にかけることが多く、見栄えに大きく影響している。
【０００３】
【発明が解決しようとする課題】
本発明で解決しようとする課題は証書、賞状などの文書作成方法で行単位一律に文字を展開させることにより発生する毛筆書体の大きさのばらつきや、バランスの悪さを解決し、手書き品質に近づけることである。
【０００４】
【課題を解決するための手段】本発明はこれらの問題を解決することを目的に成されたものです。従来、行単位で１律に展開されていた文字サイズの変更や編集を１文字単位での編集することにより全体のバランスを調整しながらの設定が可能となります。
【０００５】
【発明の実施形態】
画面上に展開された行単位の文章を特定のキー操作で１文字単位に自動分割し、分割された文字ごとに文字サイズ、文字位置、文字の圧縮率を変更し文字のバランスを整える。設定が終了した段階で再び１文字単位に分割していた文字の集合を連結させて最後に各行の長さを調整し、プリントアウトする。
【０００６】
【実施例】
以下、添付図面に従って一実施例を説明する。図１−１は証書、賞状の文章を作成するための行領域の設定と行ごとの文章登録した例である。
【０００７】
つぎの工程として行単位で設定された文章領域を図１−２のように漢字とそれ以外の文字とに分解し、１文字単位で文字のサイズ変更、文字位置の変更、文字圧縮率の変更を可能とした。特にひらがなについては、連続した文字列で領域がとられ、さらに文字の線が細くなることを避けるために、文字を９５％圧縮し、文字を詰めて自動編集する。
【０００８】
こうしてバランスを整えた文字単位の領域の集合をまたひとつの領域に結合して両端そろえすることにより行間の長さを整える。結果、図１−３のように手書きにきわめて近い高品質の出力を実現している。
【０００９】
図３にレイアウト作成からプリントアウトまでフローチャートにより手順を示す。まず証書、賞状レイアウト行を設定、各行単位に文章を登録します。これを以下行修正モードと呼びます。次の工程として特定のキー操作により行単位で指定された文字列を分割します。分割された文字単位に文字サイズの変更、文字圧縮率の変更、文字位置の変更をおこない、画面プレビューにより可視確認を行います。これを文字修正モードと呼びます。結果に不満があれば、再び文字編集モードにもどり、前記の文字単位修正を行い、再調整します。最後に文字単位修正モードから１文字の集合文字を行単位に連結する、行修正モードに切り替えます。行修正モードでは、行間の長さを整える機能を備えており、可視確認が可能です。設定が終了したら印刷書式設定後、プリントアウトを行います。
【００１０】
【発明の効果】
文字単位の文字編集モードにより１文字１文字のバランスを見ながらの文字調整が可能となり、文字の大きさの違いによる行の不揃い感がなくなり、課題とする手書き品質の証書、賞状を作成することができる。
【図面の簡単な説明】
【図１】本発明の実施効果を実施例をもとに説明した図である。
【図２】本発明による文面作成の手順をフローチャートにより説明した図である。
【図１】
2004152242.tif 000003
【図２】
2004152242.tif 000004
(57)【要約】【課題】点滅性能に優れた長寿命の電球形蛍光ランプを提供する。【解決手段】発光管と前記発光管の点灯回路と少なくとも前記点灯回路を被せるケースと口金を具備した電球形蛍光ランプにおいて、前記発光管を冷陰極ランプにする。【選択図】図１
2004152711.tif 000002
【特許請求の範囲】
【請求項１】
発光管と前記発光管の点灯回路と少なくとも前記点灯回路を被せるケースと口金を具備した電球形蛍光ランプにおいて、前記発光管が冷陰極ランプであることを特徴とする電球形蛍光ランプ。
【発明の詳細な説明】
【０００１】
【発明の属する技術分野】
本発明は電球形蛍光ランプに関するものである。
【０００２】
【従来の技術】
電球形蛍光ランプは、発光管と点灯回路を内蔵した電球口金に取り付けて点灯させることが可能な蛍光ランプである。従来の電球形蛍光ランプは発光管に熱陰極ランプを使用している。熱陰極ランプは電極にフィラメントを有しており、フィラメントから熱電子を放出しランプを点灯させている。
【０００３】
電極から熱電子を放出するためにはフィラメントに予熱電流を流し、フィラメントを充分暖めてから両電極間に高電圧を印加し、点灯する必要がある。また点灯時に電極劣化が起こるため、点滅回数により点灯寿命が変動することがある。特に予熱が不十分の時は短寿命の原因となり、現在の熱陰極ランプを使用した電球形蛍光ランプは点滅回数がランプの寿命に大きく左右され、点滅頻度が高い場合は寿命が短くなる傾向にあった。
【０００４】
【発明が解決しようとする課題】
本発明が解決しようとする課題は、従来にくらべて飛躍的に長寿命の電球形蛍光ランプを提供することにある。
【０００５】
【課題を解決するための手段】
上記問題を解決するため、本発明においては、発光管と前記発光管の点灯回路と少なくとも前記点灯回路を被せるケースと口金を具備した電球形蛍光ランプにおいて、前記発光管を冷陰極ランプとしたことを特徴とする。
【０００６】
冷陰極ランプは電極にフィラメントを有しておらず、点灯時も予熱なしに高電圧を印加するのみで点灯可能であり、点灯時による電極劣化がほとんどない。そのため冷陰極ランプを使用することで従来の熱陰極ランプにくらべて点滅寿命を飛躍的に向上することができる。また、一般的に熱陰極ランプの寿命は６０００〜９０００時間であるのに対し、冷陰極ランプの寿命は５００００時間であるため、点灯寿命も飛躍的に向上する。
【０００７】
【発明の実施の形態】
本発明の一実施例を図を用いて説明する。図１において１は商用電源、５０はＡＣ／ＤＣコンバータ部で、ダイオードブリッジ２、コンデンサ３で構成されている。６０は駆動回路部でチョークコイル４、抵抗５、トランジスタ６、トランジスタ７、コンデンサ８、トランス９、コンデンサ１０で構成され、冷陰極ランプ１１に接続されている。
【０００８】
商用電源１から電圧が印加されると、ＡＣ／ＤＣコンバータ部で交流を直流に変換し、駆動回路部に入力される。駆動回路部内ではチョークコイル４、抵抗５、トランス９を通じてトランジスタ６、７のベースに電流が流れ、トランジスタ６，７が交互にＯＮ／ＯＦＦを繰り返す。この両トランジスタのＯＮ／ＯＦＦによって発生した電圧をトランス９により昇圧し、冷陰極ランプ１１には高電圧の正弦波電圧を印加し、ランプ１１を点灯する。
【０００９】
以上の構成により、発光管に冷陰極ランプを使用することで点滅性能に優れた長寿命の電球形蛍光ランプを提供することが可能となる。
【００１０】
【発明の効果】
以上述べたように本発明によれば、発光管に冷陰極ランプを使用することで点滅性能に優れた長寿命の電球形蛍光ランプを提供することが可能となる。
【図面の簡単な説明】
【図１】本発明の第１の実施例を説明する構成図
【符号の説明】
１…商用電源、２…ダイオードブリッジ、３…コンデンサ、４…チョークコイル、５…抵抗、６…トランジスタ、７…トランジスタ、８…コンデンサ、９…トランス、１０…コンデンサ、１１…冷陰極ランプ、５０…ＡＣ／ＤＣコンバータ部、６０…駆動回路部
【図１】
2004152711.tif 000003
(57)【要約】【課題】小型化しても発光効率や点灯回路の電子部品の信頼性の低下を防止できる電球形蛍光ランプを提供する。【解決手段】蛍光ランプあるいは点灯回路の電子部品と、口金との間に熱伝導体を設置し、熱を効率的に逃がす。【選択図】図１
2004152713.tif 000002
【特許請求の範囲】
【請求項１】
内面に蛍光体、内部に水銀を有する発光管と、前記発光管の端部に配置した電極とを備えた蛍光ランプと、前記蛍光ランプに電力を供給する点灯回路と口金とを備えた電球形蛍光ランプにおいて、前記蛍光ランプと前記口金付近との間に熱伝導手段を設けたことを特徴とする電球形蛍光ランプ。
【請求項２】
内面に蛍光体を有する発光管と、前記発光管の端部に配置した電極と、前記発光管の内部に配置したアマルガムを備えた蛍光ランプと、前記蛍光ランプに電力を供給する点灯回路と口金とを備えた電球形蛍光ランプにおいて、前記アマルガム周辺部と前記口金付近との間に熱伝導手段を設けたことを特徴とする電球形蛍光ランプ。
【請求項３】
内面に蛍光体を有する発光管と、前記発光管の端部に配置した電極とを備えた蛍光ランプと、前記蛍光ランプに電力を供給する点灯回路と口金とを備えた電球形蛍光ランプにおいて、前記点灯回路部品と前記口金付近との間に熱伝導手段を設けたことを特徴とする電球形蛍光ランプ。
【請求項４】
前記熱伝導手段は、液体を耐熱性の容器の中に封じ込めた構造となっていることを特徴とする請求項１ないし３のいずれか記載の電球形蛍光ランプ。
【発明の詳細な説明】
【０００１】
【発明の属する技術分野】
本発明は、電球形蛍光ランプの構造に関するものである。
【０００２】
【従来の技術】
蛍光ランプは一般の白熱電球に比べて発光効率に優れ、長寿命であることはよく知られている。そこで蛍光ランプに白熱電球に汎用されているＥ２６口金を取り付けるとともに安定器などの点灯回路部品などを組み込んで、既存の白熱電球用ソケットにそのまま装着して点灯できる電球形蛍光ランプが製品化されている。
【０００３】
【発明が解決しようとする課題】
従来技術にある電球形蛍光ランプは、ランプの発光に伴い発光管の温度および点灯回路温度が高温となる。そのため発光効率の低下や、点灯回路に実装されている電子部品の信頼性を低下させるという問題がある。特に電球形蛍光ランプの小型化を進めると、前記した傾向が一層顕著となってくる。
【０００４】
本発明の目的は、上記した問題点を解決し、小形で高効率、高信頼性の電球形蛍光ランプを実現することにある。
【０００５】
【課題を解決するための手段】
電球形蛍光ランプは電球口金を通して商用交流電源から電力の供給を受けるため、必ず電球形蛍光ランプの口金と器具側のソケットは接触している。一方、電球形蛍光ランプの口金以外の部分は一般に器具等とは直接接触しない構造となっている。そのため電球形蛍光ランプで発生した熱は、口金からは伝熱により熱がソケット側へ流れ、口金以外の部分からは対流熱伝達により周囲の空気中に熱が流れる。
【０００６】
一般に伝熱による熱伝達効率は空気の対流熱伝達効率に較べ飛躍的に高い。その結果、口金周囲の温度上昇は口金以外の部分の温度上昇に較べて低い。しかし、電球形蛍光ランプは、一般に蛍光ランプ部や点灯回路部から口金部には熱が伝わりにくい構造となっている。そのため蛍光ランプ部や点灯回路部から発生した熱が容易には外部に逃げにくくなっているために、各部の温度が上昇してしまい、発光効率の低下や電子部品の信頼性低下をもたらす結果となる。
【０００７】
本発明においては、前記口金と蛍光ランプ部や点灯回路部との間に熱伝導体を配して蛍光ランプ部や点灯回路部から発生した熱を効率よく口金部から逃がすことにより、各部の温度を低下させる。
【０００８】
ここで、一般に熱伝導のよい固体物質で必要な効果を得ようとすると、質量が重くなってしまい実用的でない。そこで、前記熱伝導体として例えば耐熱性樹脂フィルムの容器に液体を充填することにより、軽量で且つ液体の対流熱伝導による高い熱伝達効率が期待でき、上記課題をより効果的に解決できる。
【０００９】
【発明の実施の形態】
図１は本発明の一実施例を示す電球形蛍光ランプの縦断面図である。本実施例の電球形蛍光ランプは、蛍光ランプ１と電子点灯回路２、グローブ３、ケース４、口金５によって構成された「ナス形」の外形を有している。なお、蛍光ランプ１はインナーケース６に支持され、ケース４に接着されている。電子点灯回路２はプリント基板７に実装され、蛍光ランプ１に接続されている。
【００１０】
熱伝導体８は例えば両端を閉じた筒状の耐熱樹脂容器の中に水あるいはオイル等の液体が充填された構造になっており、一方が口金５にもう一方が蛍光ランプ１と接触するようになっている。蛍光ランプ１で発生した熱は熱伝導体８を通して効率よく口金５に流れるため、電球形蛍光ランプを小型化しても蛍光ランプ１の温度上昇を抑え、発光効率の低下を抑制することができる。
【００１１】
図２は、本発明の他の一実施例を示す図で、蛍光ランプ１は内部にアマルガム１１を有しており、熱伝導体８は一方が口金５に、もう一方が蛍光ランプ１のうちアマルガム１１が設置されている付近に接触するようになっている。これによりアマルガム１１の温度を低下させることができるため電球形蛍光ランプの小型化に伴うアマルガム１１の温度上昇を抑制でき、発光効率の低下を防止することができる。
【００１２】
図３は、本発明の他の一実施例を示す図で、熱伝導体８は一方が口金５に、もう一方が電子点灯回路２の回路部品に接触するようになっている。電球形蛍光ランプの小型化に伴う回路部品の温度上昇を抑制でき、信頼性の低下を防止することができる。
【００１３】
【発明の効果】
以上述べたように本発明によれば、電球形蛍光ランプの小型化に伴う、蛍光ランプや点灯回路の回路部品の温度上昇を抑制することができるため、小形で高効率・高信頼性の電球形蛍光ランプを提供できる。
【図面の簡単な説明】
【図１】本発明の一実施例を示す電球形蛍光ランプの縦断面図。
【図２】本発明の他の一実施例を示す電球形蛍光ランプの縦断面図。
【図３】本発明の他の一実施形態を示す電球形蛍光ランプの縦断面図。
【符号の説明】
１…蛍光ランプ、２…電子点灯回路、３…グローブ、４…ケース、５…口金、６…インナーケース、７…プリント基板、８…熱伝導体。
【図１】
2004152713.tif 000003
【図２】
2004152713.tif 000004
【図３】
2004152713.tif 000005